(57)【要約】      （修正有）【課題】スライドスイッチを簡単な構造にする。【解決手段】スライドスイッチ３は、プリント基板２１上に形成され、基板２１面内において離間して設けられている一対の対向電極２３ａ・２３ｂと、この対向電極２３ａ・２３ｂと対向する接点（電極）２５をその下面に有し、弾性体の塊からなるラバーボタン３５と、このラバーボタン３５を上記基板２１上において上記対向電極２３ａ・２３ｂと接点２５とが離間している状態に支持するための部材であって、上記基板２１上面に固定された固定部３０と、固定部３０とラバーボタン３５とを接続されるとともに弾性を有し、押すと撓む立ち上がり部（スカート部）２７と、を有している。リモコンケースの開口部の近傍には第１の係合部３３ａが設けられ、上記ラバーボタン３５は、押し込んだ際に上記第１の係合部３３ａと係合する第２の係合部３５ａを有している。【選択図】図４
2008010314.tif 000002
【特許請求の範囲】
【請求項１】
筐体に形成されるスライドスイッチであって、
基板上に形成され、該基板面内において面内方向に離間して設けられている一対の対向電極と、
該対向電極面と対向する接点電極を前記基板側の面に有し弾性体の塊からなるラバーボタンと、
該ラバーボタンを前記基板上において前記対向電極と前記接点電極とが離間している状態で支持するための支持部材であって、前記基板面に固定された固定部と、該固定部と前記ラバーボタンとを接続するとともに、押すと前記基板の法線方向に撓むとともに前記基板の面内方向にスライド可能な立ち上がり部と、を有する支持部材と、を有し、
前記ラバーボタンを収容可能とする前記筐体の開口部の近傍に第１の係合部が形成され、前記ラバーボタンに該ラバーボタンを前記基板側に押し込んだ際に前記第１の係合部と係合する位置に設けられる第２の係合部が形成されていることを特徴とするスライドスイッチ。
【請求項２】
筐体に形成されるスライドスイッチであって、
基板上に形成され、該基板面内において面内方向に離間して設けられている一対の対向電極と、
該対向電極面と対向する接点電極を前記基板側の面に有し弾性体の塊からなるラバーボタンと、
該ラバーボタンを前記基板上において前記対向電極と前記接点電極とが離間している状態で支持するための支持部材であって、前記基板面に固定された固定部と、該固定部と前記ラバーボタンとを接続するとともに、押すと前記基板の法線方向に撓むとともに前記基板の面内方向にスライド可能な立ち上がり部と、を有する支持部材と、を有し、
前記ラバーボタンを収容可能とする前記筐体の開口部端近傍に前記基板側に延びる係合部であって、前記ラバーボタンを前記基板側に押し込んだ際に前記ラバーボタンの上面に前記第１の係合部が係合する位置に設けられる係合部が設けられていることを特徴とするスライドスイッチ。
【請求項３】
前記ラバーボタン内に空洞部が設けられていることを特徴とする請求項２に記載のスライドスイッチ。
【請求項４】
前記第１の係止部と前記第２の係止部との係合を弾性的な係合状態にする弾性部が設けられていることを特徴とする請求項１から３までのいずれか１項に記載のスライドスイッチ。
【請求項５】
前記弾性部として、前記係合部の近傍の前記筐体を断面略Ｕ字状に形成したことを特徴とする請求項４に記載のスライドスイッチ。
【請求項６】
前記係合部の近傍の前記筐体に、前記基板と反対側の方向に突出する把持部を備えたことを特徴とする請求項４又は５に記載のスライドスイッチ。
【発明の詳細な説明】
【技術分野】
【０００１】
本発明は、スライドスイッチに関し、特にラバーボタンによるスライドスイッチに関する。
【背景技術】
【０００２】
例えばリモコン装置では、操作ボタンの動作モード切り替えのためにスライドスイッチを設けているものがある。スライドスイッチは、基板上にメカニカルスイッチを設置してノブを操作するように構成され、或いは、ツマミをスイッチのノブと連動させるように構成されている。リモコン装置に用いられる一般的なスライドスイッチは、例えばリモコンの小型化のためキーを削減し、一つのキーに複数の機能を持たせようとする場合の回路の切り替えのために、板バネ等の接触片を操作ノブにより移動させ、クリック作用するコイルスプリング等を用いて、移動した状態を保持するように構成されていた。例えば、下記特許文献１に記載のスライドスイッチは、対をなす接点を一体成形したラバーをツマミを介して揺動させ、基板上に設けられた対向電極と接点とをそれぞれ接触させるようにして切り替え用のスライドスイッチを構成している。      
【０００３】
【特許文献１】実願平5-70465号（実開平7-41883号公報）
【発明の開示】
【発明が解決しようとする課題】
【０００４】
しかしながら、上記特許文献１に記載のスライドスイッチは、対向電極と接触させるためのスイッチの接点を備えた弾性体の他に、この弾性体を押圧するとともに、スイッチの外周部に設けられた筐体と係止する係止部とを有し、さらに、スイッチを解除するために用いられるノブ部とを有する操作ノブが必要となり、部品点数が多くなるという問題がある。また、操作ノブは有る程度の剛性を必要とするため、操作を行う際に指が痛くなり操作性が良くないという問題もあった。
【０００５】
本発明は、より簡単な構造で、操作性を向上させるスライドスイッチ及びそれを利用したリモコン装置を提供することを目的とする。
【課題を解決するための手段】
【０００６】
１）ラバーコンタクト（ボタン）を押した状態で筐体に係止させることにより、スイッチのON状態（押し込んだ状態）を保つことができるようにした。
２）ラバーコンタクト（ボタン）の筐体に付勢力を有する係止片を形成することにより、ボタンを押し込むと該係止片が付勢力によりボタンと係合し、ON状態を保つことができるようにした。
３）ラバーに一体成形された接点が、プリント基板上に設けられた対向電極と接触（ON）した状態を保てるように構成した、即ち、ラバーキーをケースに係止させ、スイッチがON/OFFの状態を維持できるため、リモコンの操作ボタンの動作モード切り替えスイッチとして使用することができる。
【０００７】
すなわち、本発明の一観点によれば、筐体に形成されるスライドスイッチであって、基板上に形成され、該基板面内において面内方向に離間して設けられている一対の対向電極と、該対向電極面と対向する接点電極を前記基板側の面に有し弾性体の塊からなるラバーボタンと、該ラバーボタンを前記基板上において前記対向電極と前記接点電極とが離間している状態で支持するための支持部材であって、前記基板面に固定された固定部と、該固定部と前記ラバーボタンとを接続するとともに、押すと前記基板の法線方向に撓むとともに前記基板の面内方向にスライド可能な立ち上がり部と、を有する支持部材と、を有し、前記ラバーボタンを収容可能とする前記筐体の開口部の近傍に第１の係合部が形成され、前記ラバーボタンに該ラバーボタンを前記基板側に押し込んだ際に前記第１の係合部と係合する位置に設けられる第２の係合部が形成されていることを特徴とするスライドスイッチが提供される。
【０００８】
前記ラバーボタンを前記基板側であって前記第１の係合部と前記第２の係合部との係合方向に向けてスライドさせるようにして押すと、前記第１の係合部と前記第２の係合部とが係合する状態では、前記一対の対向電極と前記接点電極とが電気的に接続されている。この状態は、前記ラバーボタンを操作しない限り維持される。係合を解除するためには、上記と反対方向に前記ラバーボタンを動かし係合を解除すると、一対の対向電極と接点電極との電気的な接続が解除され、元の状態に戻る。
【０００９】
本発明の他の観点によれば、筐体に形成されるスライドスイッチであって、基板上に形成され、該基板面内において面内方向に離間して設けられている一対の対向電極と、該対向電極面と対向する接点電極を前記基板側の面に有し弾性体の塊からなるラバーボタンと、該ラバーボタンを前記基板上において前記対向電極と前記接点電極とが離間している状態で支持するための支持部材であって、前記基板面に固定された固定部と、該固定部と前記ラバーボタンとを接続するとともに、押すと前記基板の法線方向に撓むとともに前記基板の面内方向にスライド可能な立ち上がり部と、を有する支持部材と、を有し、前記ラバーボタンを収容可能とする前記筐体の開口部端近傍に前記基板側に延びる係合部であって、前記ラバーボタンを前記基板側に押し込んだ際に前記ラバーボタンの上面に前記第１の係合部が係合する位置に設けられる係合部が設けられていることを特徴とするスライドスイッチが提供される。前記ラバーボタン内に空洞部が設けられていることが好ましい。
【００１０】
前記基板側に前記ラバーボタンをその上面から指などにより押し込むと、上記立ち上がり部が撓んで前記ラバーボタンが前記基板側に近づくとともに、横方向に伸びる。そして、前記係合部と、前記ラバーボタンの上面とが係合するように構成されており、前記係合部はやや上方（基板から離れる方向）に持ち上がった状態で係合するように構成されている。係合状態では、前記対向電極と前記接点電極とが電気的に接続されている。この状態は、前記ラバーボタンに新たな力を加える操作をしない限り維持される。係合を解除するためには、前記ラバーボタンをさらに押し込むことで、前記ラバーボタンの下面は前記対向電極によりこれ以上は下方に移動しない状態において、さらに前記ラバーボタンを指で上から押し込むことで係合が外れる。空洞部が設けられている場合は、空洞部内の空気が抜けていき空洞部が小さくなって係合が外れる。係合部はラバーボタンの外側面を滑るようにして上方から下方に移動して元の状態に戻り、係合が外れ係合部が下方に移動した状態で指を離すと、ラバーボタンは立ち上がり部の弾性復帰に伴って上方へ移動するが、係合部が下方に移動した状態であるため係合部と再係合はしない。このようにして、スライドスイッチ機能を維持することができる。
【００１１】
前記第１の係止部と前記第２の係止部との係合を弾性的な係合状態にする弾性部が設けられていても良い。また、前記弾性部として、前記係合部の近傍の前記筐体を断面略Ｕ字状に形成することができる。
【００１２】
該弾性部は、弾性による柔軟性の付加により上記係合とその解除を容易にする機能を有している。
【００１３】
前記係合部の近傍の前記筐体に、前記基板と反対側の方向に突出する把持部を備えても良い。該把持部（突起部）を把持して開口端部から離れる方向に移動させると、係合状態は解除され、前記ラバーボタンは前記立ち上がり部の弾性復帰に伴い上方に移動し、前記対向電極と、前記接点電極との電気的な接続が解除される。
【発明の効果】
【００１４】
本発明によれば、ラバーキーのみで動作モードの切り替えが可能となるため、スライドスイッチにおいてツマミやメカニカルスイッチが不要となり、部品点数を削減して、安価なリモコンを提供することが可能となる。また、ラバースイッチを直接に指で押す構成であるため、操作性が快適になるという利点がある。
【発明を実施するための最良の形態】
【００１５】
以下、本発明の第１の実施の形態によるスライドスイッチ及びそれを利用したリモコン装置について図面を参照しながら説明を行う。図１は、本実施の形態によるリモコン装置の正面から見た図であり、図２は、図１に示すリモコン装置の一構成例を示す機能ブロック図である。図３は、図１に示すリモコン装置のうちスライドスイッチを中心とする要部の断面図である。図４は、図３に示すスライドスイッチの一構成例とその動作の様子を示す図である。
【００１６】
本実施の形態によるリモコン装置Ａは、筐体１の正面６側に設けられた操作ボタン部２（操作ボタン２ａ、２ｂ、…を含む）と、例えば、対象機器を切り替えるための切り替え用のスライドスイッチ３と、赤外線発光部（送信部）５と、を有している。図２に示すように、さらに、リモコン装置の内部には、上記の各部に加えて、装置全体を制御する制御部７と、リモコンコードなどを記憶する記憶部１１と、が設けられている。
【００１７】
図３に示す断面構造は、正面６上に一般的な操作ボタン２ａ、２ｂ、２ｃ、…と、切り替え用のスライドスイッチ３とが設けられている様子が示されている。
【００１８】
図４は、上記スライドスイッチの詳細な構造を示す断面図である。図４に示すように、本実施の形態によるスライドスイッチ３は、プリント基板２１上に形成され、基板２１面内において離間して設けられている一対の対向電極２３ａ・２３ｂと、この対向電極２３ａ・２３ｂと対向する接点（電極）２５をその下面に有し、弾性体の塊からなるラバーボタン３５と、このラバーボタン３５を上記基板２１上において上記対向電極２３ａ・２３ｂと接点２５とが離間している状態に支持するための部材であって、上記基板２１上面に固定された固定部３０と、固定部３０とラバーボタン３５とを接続させるとともに弾性を有し、押すと基板法線方向に撓むとともに基板面内方向にスライド可能な立ち上がり部（スカート部）２７と、を有している。さらに、上記ラバーボタン３５には、上記ラバーボタン３５を収容する開口部を有するリモコンケースの当該開口部の近傍に設けられる第１の係合部３３ａと、ラバーボタン３５に設けられ、これを基板２１側に押し込んだ際に第１の係合部３３ａと係合する第２の係合部３５ａと、を有している。
【００１９】
図４（Ａ）に示す状態から図４（Ｂ）に示すように、ラバーボタン３５を基板２１側であって第１の係合部３３ａと第２の係合部３５ａとの係合方向に向けてスライドさせるようにして押すと、第１の係合部３３ａと第２の係合部３５ａとが係合する状態では、一対の対向電極２３ａ・２３ｂと接点２５とが電気的に接続されている。この状態は、ラバーボタン３５を操作しない限り維持される。係合を解除するためには、上記と反対方向にラバーボタン３５を動かすと、すなわち図４（Ｂ）に示す状態から、ラバーボタン３５をさらに押し込んで係合を解除する方向にスライドさせて指を離すと、係合が解除されるとともに、一対の対向電極２３ａ・２３ｂと接点２５とが電気的な接続も解除される。図４（Ａ）に示すように、常態に戻る。上記の操作は繰り返し行うことができる。このようにプリント基板２１に例えば印刷した電極スイッチと、接点２５を設けたラバーボタン３５とにより、切り替えスイッチを構成することができるため、従来のようにメカニカルスイッチや別のボタンが必要なくなり、構造を簡単にできるとともに、製造コストを抑えることが可能である。
【００２０】
次に、本発明の第２の実施の形態によるスライドスイッチについて図面を参照しながら説明を行う。図５は、本実施の形態によるスライドスイッチの一構成例を示す図である。図５（Ｂ）は、スライドスイッチの断面図であり、図５（Ａ）は、ラバーボタンを図５（Ｂ）とは９０度異なる方向から見た側面図であり、図５（Ｃ）は、図５（Ａ）に対応する図であり、ラバーボタンを押圧した様子を示す図である。
【００２１】
本実施の形態によるスライドスイッチは、例えばプリント基板６１上に形成され、基板６１面内において離間して設けられている一対の対向電極５３ａ・５３ｂと、この対向電極５３ａ・５３ｂと対向する接点（電極）５１ａ・５１ｂを下面（基板６１側）に有し、弾性体の塊からなるラバーボタン７１であって内部に空洞部７３を有するラバーボタン７１と、上記基板６１上に固定して設けられた固定部６３と、この固定部６３から伸びて上記対向電極５３ａ・５３ｂと接点電極５１（５１ａ・５１ｂ）とが離間している状態にラバーボタン７１を支持するための、上記固定部６３とラバーボタン７１とを接続し弾性を有し押すと撓む立ち上がり部（スカート部）６５と、を有している。さらに、上記ラバーボタン７１には、内部に空洞部７３が形成されており、実際には下面（基板６１側）に空気が抜ける開口が設けられている。
【００２２】
ラバーボタン７１は、常態では図５（Ｂ）に示すように、空洞部７３には空気が充満しているとともに、立ち上がり部６５により対向電極５３ａ・５３ｂと対向する接点（電極）５１ａ・５１ｂとは離間している。尚、ラバーボタン７１は図５（Ａ）に示すように横長に形成されており、接点５１は実際には電気的につながって一体になっている。ラバーボタン７１と接点５１との間は肉薄に形成されている。
【００２３】
基板６１側にラバーボタン７１をその上面から指などにより押し込むと、上記立ち上がり部６５が撓んでラバーボタン７１が基板６１に近づくとともに、横方向に伸びる。そして、上記ラバーボタン７１を収容するための開口部を有するリモコンケースの開口端部６７・６７の先端に設けられ基板６１側に向けて突出する係合部６７ａと、ラバーボタン７１の上面とが係合するように構成されている（図５（Ｃ）参照）。この際、係合部６７ａはやや上方（基板６１から離れる方向）に持ち上がった状態で係合するように構成されている。
【００２４】
図５（Ｃ）に示す係合状態では、一対の対向電極５３ａ・５３ｂと接点５１とが電気的に接続されている。この状態は、ラバーボタン７１に新たな力を加える操作をしない限り維持される。図５（Ｃ）に示す係合を解除するためには、ラバーボタン７１をさらに押し込むことで、ラバーボタン７１の下面は対向電極５３ａ・５３ｂによりこれ以上は下方に移動しない状態において、さらにラバーボタン７１を指で上から押し込むことで、上記空洞部７３内の空気が抜けていき空洞部７３が小さくなって上記係合が外れる。係合部６７ａはラバーボタン７１の外側面を滑るようにして上方から下方に移動して元の状態（図５（Ｂ）に示す状態）に戻り、係合が外れ係合部６７ａが下方に移動した状態で指を離すと、ラバーボタン７１は立ち上がり部６５の弾性復帰に伴って上方へ移動するが、係合部６７ａが下方に移動した状態であるため係合部６７ａと再係合はしない。このようにして、スライドスイッチ機能を維持することができる。
【００２５】
本実施の形態によるスライドスイッチにおいては、ラバーボタンの上面に係合部が係合する構成であるため、ラバーボタンに係合のための部分を設ける必要がなく、特にラバーボタンの構成が簡単になるという効果がある。
【００２６】
次に、本発明の第３の実施の形態によるスライドスイッチについて図面を参照しながら説明を行う。図６（Ａ）、（Ｂ）は、本実施の形態によるスライドスイッチの構成を示す断面図であり、図６（Ａ）はスイッチＯＦＦ状態、図６（Ｂ）はスイッチＯＮ状態を示す図である。図６に示すように、本実施の形態によるスライドスイッチは、例えばプリント基板１０１上に形成され、基板１０１面内において離間して設けられている一対の対向電極１０３ａ・１０３ｂと、この対向電極１０３ａ・１０３ｂと対向する接点（電極）１２１を下面（基板１０１側）に有し、弾性体の塊からなるラバーボタン１０７と、このラバーボタン１０７を対向電極１０３ａ・１０３ｂと、接点（電極）１２１とが離間した状態において基板１０１上に支持するために設けられ、上記基板１０１に固定される固定部１０４と、この固定部から伸び、弾性を有し、押すと撓む立ち上がり部（スカート部）１０５と、を有している。
【００２７】
筐体（リモコンケース）１１１には、第１の実施の形態と同様に、上記ラバーボタン１０７を収容するための開口部が設けられており、上記構成ととともに概略第１の実施の形態によるスライドスイッチと同様の構成を有している。第１の実施の形態との主たる相違点は、ラバーボタン側に設けられている係止部１０７ａと、筐体１１１の開口端部側に設けられている係止片１１３と、の他に、係止部１０７ａと係止片１１３との係合を弾性的な係合状態にする弾性部を設けている点である。図６（Ａ）に示す構成においては、上記係止片１１３よりも開口端部と反対側に設けられる断面Ｕ字状の弾性部１１１ａが筐体１１１に設けられている。この弾性部１１１ａは、弾性による柔軟性の付加により上記係合とその解除を容易にする機能を有している。
【００２８】
図６（Ａ）に示すスライドスイッチＯＦＦ（対向電極１０３ａ・１０３ｂと接点１２１とが離れている状態）では係止部１０７ａと係止片１１３とが係合していないため、係止片１１３の先端部１１３側面がラバーボタン１０７の外側面により押されており、断面Ｕ字状の弾性部１１１ａは撓んだ状態になっている。ここで、符号ｂに示すように指でラバーボタン１０７の上面から下方（基板１０１側）に向けて押し込むと、係止片１１３が弾性部１１１ａの反発力により符号ｃで示す矢印の方向（ラバーボタン１０７に近づく方向）に移動し、図６（Ｂ）に示すように、係止片１１３と係止部１０７ａとが、それぞれの下面１１３ｂと上面１０７ａとが当接するように係合する。この状態において、対向電極１０３ａ・１０３ｂと、接点（電極）１２１とが電気的に接続されるように構成されている。係合状態を解除する操作が行われない限り図６（Ｂ）の状態が維持され、スライドスイッチはオン状態を維持する。
【００２９】
例えば、係止片１１３の近傍に設けられ上方（基板１０１と反対側の方向）に突出する突起部１１３ａを把持して矢印ｄで示すように開口端部から離れる方向に移動させると、係合状態は解除され、ラバーボタン１０７は上記立ち上がり部（スカート部）１０５の弾性復帰に伴い上方に移動し、対向電極１０３ａ・１０３ｂと、接点（電極）１２１との電気的な接続が解除されスイッチｏｆｆの状態になる。
【００３０】
このように、本実施の形態によれば、筐体に設けられた係止片の近傍に弾性部を設けることで、簡単な構造により、スライドスイッチのオン／オフを切り替えることが可能になる。尚、ラバーボタン１０７内に空洞１２３を設けることにより、ラバーボタン１０７に対しても適度な弾性反発力を付与することができる。
【００３１】
また、上記各実施の形態では、上方向からラバーボタンを押す例について説明したが、構造によっては、ラバーボタンを横方向から押す構成にしても良い。
【００３２】
以上に説明したように、本発明の各実施の形態によるスライドスイッチにおいては、ラバーボタンにより切り替えスイッチを構成するため、従来のようにメカニカルスイッチや別のボタンを設ける必要がなくなり、構造を簡単にできるとともに、製造コストを抑えることができるという利点がある。尚、上記スライドスイッチは、リモコン装置や、携帯電話機などに利用可能である。
【産業上の利用可能性】
【００３３】
本発明は、スライドスイッチに利用可能である。
【図面の簡単な説明】
【００３４】
【図１】本発明の第１の実施の形態によるリモコン装置の正面から見た図である。
【図２】図１に示すリモコン装置の一構成例を示す機能ブロック図である。
【図３】図１に示すリモコン装置のうちスライドスイッチを中心とする要部の断面図である。
【図４】図３に示すスライドスイッチの一構成例とその動作の様子を示す図である。
【図５】本発明の第２の実施の形態によるスライドスイッチの一構成例を示す図である。図５（Ｂ）は、スライドスイッチの断面図であり、図５（Ａ）は、ラバーボタンを図５（Ｂ）とは９０度異なる方向から見た側面図であり、図５（Ｃ）は、図５（Ａ）に対応する図であり、ラバーボタンを押圧した様子を示す図である。
【図６】本発明の第３の実施の形態によるスライドスイッチの構成を示す断面図であり、図６（Ａ）はスイッチＯＦＦ状態、図６（Ｂ）はスイッチＯＮ状態を示す図である。
【符号の説明】
【００３５】
３…スライドスイッチ、２１…プリント基板、２３ａ・２３ｂ…一対の対向電極、２５…接点（電極）、２７…立ち上がり部（スカート部）、３０…固定部、３３ａ…第１の係合部、３５…ラバーボタン、３５ａ…第２の係合部。
【図１】
2008010314.tif 000003
【図２】
2008010314.tif 000004
【図３】
2008010314.tif 000005
【図４】
2008010314.tif 000006
【図５】
2008010314.tif 000007
【図６】
2008010314.tif 000008